(57)【要約】  本発明は、無線通信システムにおいて、端末が下りリンク制御チャネルを受信する方法に関する。特にこの方法は、上位階層を通じて、リソース要素グループ(Ｒｅｓｏｕｒｃｅ Ｅｌｅｍｅｎｔ Ｇｒｏｕｐ、ＲＥＧ)バンドルのサイズに関する情報、及び少なくとも１つの制御チャネル要素(Ｃｏｎｔｒｏｌ Ｃｈａｎｎｅｌ Ｅｌｅｍｅｎｔ、ＣＣＥ)を構成する複数のＲＥＧをインターリービングするための行列のサイズに関連する情報を受信する段階と、前記行列のサイズに関連する情報及び前記ＲＥＧバンドルのサイズに関する情報に基づいて、前記複数のＲＥＧをインターリービングするための行列を決定する段階；前記行列を用いて、前記ＲＥＧバンドルのサイズによって１つ以上のＲＥＧバンドルにバンドリングされた前記複数のＲＥＧをインターリービングする段階と、前記インターリービングされた複数のＲＥＧに基づいて、前記下りリンク制御チャネルを受信する段階を含む。【選択図】図１２
2019522425.tif 000002
【特許請求の範囲】
【請求項１】
無線通信システムにおいて、端末が下りリンク制御チャネルを受信する方法であって、
上位階層を通じて、リソース要素グループ(Ｒｅｓｏｕｒｃｅ Ｅｌｅｍｅｎｔ Ｇｒｏｕｐ、ＲＥＧ)バンドルのサイズに関する情報、及び少なくとも１つの制御チャネル要素(Ｃｏｎｔｒｏｌ Ｃｈａｎｎｅｌ Ｅｌｅｍｅｎｔ、ＣＣＥ)を構成する複数のＲＥＧをインターリービングするための行列のサイズに関連する情報を受信する段階と、
前記行列のサイズに関連する情報及び前記ＲＥＧバンドルのサイズに関する情報に基づいて、前記複数のＲＥＧをインターリービングするための行列を決定する段階と、
前記行列を用いて、前記ＲＥＧバンドルのサイズによって１つ以上のＲＥＧバンドルにバンドリングされた前記複数のＲＥＧをインターリービングする段階と、
前記インターリービングされた複数のＲＥＧに基づいて、前記下りリンク制御チャネルを受信する段階を含む、下りリンク制御チャネル受信方法。
【請求項２】
前記複数のＲＥＧは、
前記１つ以上のＲＥＧバンドル単位でインターリービングされる、請求項１に記載の下りリンク制御チャネル受信方法。
【請求項３】
前記行列のサイズに関連する情報は、
前記行列の行又は列のサイズに関する情報である、請求項１に記載の下りリンク制御チャネル受信方法。
【請求項４】
前記行列の列又は行のサイズは、
前記行列の行又は列のサイズ及び前記端末に設定されたＣＯＲＥＳＥＴ(Ｃｏｎｔｒｏｌ Ｒｅｓｏｕｒｃｅ Ｓｅｔ)に含まれたＲＥＧバンドルの数に基づいて決定される、請求項３に記載の下りリンク制御チャネル受信方法。
【請求項５】
前記決定された行列の列又は行のサイズが定数ではない場合は、
前記決定された行列の列又は行のサイズより大きい定数のうち最小値を有する定数が前記行列の列又は行のサイズに決定される、請求項４に記載の下りリンク制御チャネル受信方法。
【請求項６】
前記少なくとも１つのＣＣＥの各々に含まれた複数のＲＥＧの数と、
前記行列のサイズに関連する情報値と前記ＲＥＧバンドルのサイズに関する情報値の乗とが対応する場合、
前記１つ以上のＲＥＧバンドルは物理リソースに等間隔にマッピングされる、請求項１に記載の下りリンク制御チャネル受信方法。
【請求項７】
前記行列のサイズに関連する情報値と前記少なくとも１つのＣＣＥの各々に含まれたＲＥＧバンドルの数が同一である場合、
前記１つ以上のＲＥＧバンドルは物理リソースに等間隔にマッピングされる、請求項１に記載の下りリンク制御チャネル受信方法。
【請求項８】
前記受信されたＲＥＧバンドルのサイズに関する情報は、前記端末に設定されたＣＯＲＳＥＴのシンボルの数に基づいて決定される、請求項１に記載の下りリンク制御チャネル受信方法。
【請求項９】
無線通信システムにおいて、下りリンク制御チャネルを受信する端末であって、
基地局と無線信号を送受信するＲＦモジュールと、
前記ＲＦモジュールに連結されて、上位階層を通じて、リソース要素グループ(Ｒｅｓｏｕｒｃｅ Ｅｌｅｍｅｎｔ Ｇｒｏｕｐ、ＲＥＧ)バンドルのサイズに関する情報、及び少なくとも１つの制御チャネル要素(Ｃｏｎｔｒｏｌ Ｃｈａｎｎｅｌ Ｅｌｅｍｅｎｔ、ＣＣＥ)を構成する複数のＲＥＧをインターリービングするための行列のサイズに関連する情報を受信し、
前記行列のサイズに関連する情報及び前記ＲＥＧバンドルのサイズに関する情報に基づいて、前記複数のＲＥＧをインターリービングするための行列を決定し、
前記行列を用いて、前記ＲＥＧバンドルのサイズによって１つ以上のＲＥＧバンドルにバンドリングされた前記複数のＲＥＧをインターリービングし、
前記インターリービングされた複数のＲＥＧに基づいて、下りリンク制御チャネルを受信するプロセッサを含む、端末。
【請求項１０】
前記行列のサイズに関連する情報は、
前記行列の行又は列のサイズに関する情報である、請求項９に記載の端末。
【請求項１１】
前記行列の列又は行のサイズは、
前記行列の行又は列のサイズ及び前記端末に設定されたＣＯＲＥＳＥＴ(Ｃｏｎｔｒｏｌ Ｒｅｓｏｕｒｃｅ Ｓｅｔ)に含まれたＲＥＧバンドルの数に基づいて決定される、請求項１０に記載の端末。
【請求項１２】
前記決定された行列の列又は行のサイズが定数ではない場合は、
前記決定された行列の列又は行のサイズより大きい定数のうち最小値を有する定数が前記行列の列又は行のサイズに決定される、請求項１１に記載の端末。
【請求項１３】
前記少なくとも１つのＣＣＥの各々に含まれた複数のＲＥＧの数と、前記行列のサイズ値と前記ＲＥＧバンドルのサイズ値の乗とが対応する場合、前記１つ以上のＲＥＧバンドルは物理リソースに等間隔にマッピングされる、請求項９に記載の端末。
【請求項１４】
前記行列のサイズに関連する情報値と前記少なくとも１つのＣＣＥの各々に含まれたＲＥＧバンドルの数が同一である場合、
前記１つ以上のＲＥＧバンドルは物理リソースに等間隔にマッピングされる、請求項９に記載の端末。
【請求項１５】
前記受信されたＲＥＧバンドルのサイズに関する情報は、前記端末に設定されたＣＯＲＳＥＴのシンボルの数に基づいて決定される、請求項９に記載の端末。
【発明の詳細な説明】
【技術分野】
【０００１】
本発明は下りリンク制御チャネルを受信する方法及びそのための装置に関し、より詳しくは、下りリンク制御チャネルを構成するＣＣＥ(Ｃｏｎｔｒｏｌ Ｃｈａｎｎｅｌ Ｅｌｅｍｅｎｔ)に含まれた複数のＲＥＧ(Ｒｅｓｏｕｒｃｅ Ｅｌｅｍｅｎｔ Ｇｒｏｕｐ)を１個以上の物理リソースにマッピングして受信する方法及びそのための装置に関する。
【背景技術】
【０００２】
時代の流れによってより多くの通信装置がより大きな通信容量を要求することになり、既存のＬＴＥシステムに比べて向上した無線広帯域通信である次世代５Ｇシステムが要求されている。ＮｅｗＲＡＴと呼ばれるこの次世代５Ｇシステムは、Ｅｎｈａｎｃｅｄ Ｍｏｂｉｌｅ ＢｒｏａｄＢａｎｄ(ｅＭＢＢ)／Ｕｌｔｒａ−Ｒｅｌｉａｂｉｌｉｔｙ ａｎｄ Ｌｏｗ−Ｌａｔｅｎｃｙ Ｃｏｍｍｕｎｉｃａｔｉｏｎ(ＵＲＬＬＣ)／Ｍａｓｓｉｖｅ Ｍａｃｈｉｎｅ−ｔｙｐｅ Ｃｏｍｍｕｎｉｃａｔｉｏｎｓ(ｍＭＴＣ)などに通信シナリオが区分される。
【０００３】
ここで、ｅＭＢＢはＨｉｇｈ Ｓｐｅｃｔｒｕｍ Ｅｆｆｉｃｉｅｎｃｙ、Ｈｉｇｈ Ｕｓｅｒ Ｅｘｐｅｒｉｅｎｃｅｄ Ｄａｔａ Ｒａｔｅ、Ｈｉｇｈ Ｐｅａｋ Ｄａｔａ Ｒａｔｅなどの特性を有する次世代移動通信シナリオであり、ＵＲＬＬＣはＵｌｔｒａ Ｒｅｌｉａｂｌｅ、Ｕｌｔｒａ Ｌｏｗ Ｌａｔｅｎｃｙ、Ｕｌｔｒａ Ｈｉｇｈ Ａｖａｉｌａｂｉｌｉｔｙなどの特性を有する次世代移動通信シナリオであり(ｅ．ｇ．，Ｖ２Ｘ、Ｅｍｅｒｇｅｎｃｙ Ｓｅｒｖｉｃｅ、Ｒｅｍｏｔｅ Ｃｏｎｔｒｏｌ)、ｍＭＴＣはＬｏｗ Ｃｏｓｔ、Ｌｏｗ Ｅｎｅｒｇｙ、Ｓｈｏｒｔ Ｐａｃｋｅｔ、Ｍａｓｓｉｖｅ Ｃｏｎｎｅｃｔｉｖｉｔｙの特性を有する次世代移動通信シナリオである(ｅ．ｇ．，ＩｏＴ)。
【発明の概要】
【発明が解決しようとする課題】
【０００４】
本発明は、下りリンク制御チャネルを受信する方法及びそのための装置を提供する。
【０００５】
本発明が遂げようとする技術的課題は、以上で言及した技術的課題に制限されず、言及していない他の技術的課題は、以下の発明の詳細な説明から本発明が属する技術分野における通常の知識を有する者には明確に理解されるであろう。
【課題を解決するための手段】
【０００６】
本発明の実施例による無線通信システムにおいて、端末が下りリンク制御チャネルを受信する方法は、上位階層を通じて、リソース要素グループ(Ｒｅｓｏｕｒｃｅ Ｅｌｅｍｅｎｔ Ｇｒｏｕｐ、ＲＥＧ)バンドルのサイズに関する情報、及び少なくとも１個の制御チャネル要素(Ｃｏｎｔｒｏｌ Ｃｈａｎｎｅｌ Ｅｌｅｍｅｎｔ、ＣＣＥ)を構成する複数のＲＥＧをインターリービングするための行列のサイズに関連する情報を受信する段階と、行列のサイズに関連する情報及びＲＥＧバンドルのサイズに関する情報に基づいて複数のＲＥＧをインターリービングするための行列を決定する段階と、行列を用いてＲＥＧバンドルのサイズによって１個以上のＲＥＧバンドルにバンドリングされた複数のＲＥＧをインターリービングする段階と、インターリービングされた複数のＲＥＧに基づいて下りリンク制御チャネルを受信する段階を含む。
【０００７】
この時、複数のＲＥＧは１個以上のＲＥＧバンドル単位でインターリービングされる。
【０００８】
行列のサイズに関連する情報は、行列の行又は列のサイズに関する情報である。
【０００９】
行列の列又は行のサイズは、行列の行又は列のサイズ及び端末に設定されたＣＯＲＥＳＥＴ(Ｃｏｎｔｒｏｌ Ｒｅｓｏｕｒｃｅ Ｓｅｔ)に含まれたＲＥＧバンドルの数に基づいて決定される。
【００１０】
決定された行列の列又は行のサイズが定数ではない場合は、決定された行列の列又は行のサイズより大きい定数のうち最小値を有する定数が行列の列又は行のサイズに決定される。
【００１１】
少なくとも１個のＣＣＥの各々に含まれた複数のＲＥＧの数と、行列のサイズに関連する情報値とＲＥＧバンドルのサイズに関する情報値の乗とが対応する場合、１個以上のＲＥＧバンドルは物理リソースに等間隔にマッピングされる。
【００１２】
行列のサイズに関連する情報値と少なくとも１個のＣＣＥの各々に含まれたＲＥＧバンドルの数が同一である場合、１個以上のＲＥＧバンドルは物理リソースに等間隔にマッピングされる。
【００１３】
受信されたＲＥＧバンドルのサイズに関する情報は、端末に設定されたＣＯＲＳＥＴのシンボルの数に基づいて決定される。
【００１４】
本発明による無線通信システムにおいて、下りリンク制御チャネルを受信する端末であって、基地局と無線信号を送受信するＲＦモジュールと、ＲＦモジュールに連結されて、上位階層を通じてリソース要素グループ(Ｒｅｓｏｕｒｃｅ Ｅｌｅｍｅｎｔ Ｇｒｏｕｐ、ＲＥＧ)バンドルのサイズに関する情報、及び少なくとも１個の制御チャネル要素(Ｃｏｎｔｒｏｌ Ｃｈａｎｎｅｌ Ｅｌｅｍｅｎｔ、ＣＣＥ)を構成する複数のＲＥＧをインターリービングするための行列のサイズに関連する情報を受信し、行列のサイズに関連する情報及びＲＥＧバンドルのサイズに関する情報に基づいて複数のＲＥＧをインターリービングするための行列を決定し、行列を用いてＲＥＧバンドルのサイズによって１個以上のＲＥＧバンドルにバンドリングされた複数のＲＥＧをインターリービングし、インターリービングされた複数のＲＥＧに基づいて下りリンク制御チャネルを受信するプロセッサを含む。
【００１５】
この時、行列のサイズに関連する情報は、行列の行又は列のサイズに関する情報である。
【００１６】
行列の列又は行のサイズは、行列の行又は列のサイズ及び端末に設定されたＣＯＲＥＳＥＴ(Ｃｏｎｔｒｏｌ Ｒｅｓｏｕｒｃｅ Ｓｅｔ)に含まれたＲＥＧバンドルの数に基づいて決定される。
【００１７】
決定された行列の列又は行のサイズが定数ではない場合は、決定された行列の列又は行のサイズより大きい定数のうち最小値を有する定数が行列の列又は行のサイズに決定される。
【００１８】
少なくとも１個のＣＣＥの各々に含まれた複数のＲＥＧの数と、行列のサイズ値とＲＥＧバンドルのサイズ値の乗とが対応する場合、１個以上のＲＥＧバンドルは物理リソースに等間隔にマッピングされる。
【００１９】
行列のサイズに関連する情報値と少なくとも１個のＣＣＥの各々に含まれたＲＥＧバンドルの数が同一である場合、１個以上のＲＥＧバンドルは物理リソースに等間隔にマッピングされる。
【００２０】
受信されたＲＥＧバンドルのサイズに関する情報は、端末に設定されたＣＯＲＳＥＴのシンボルの数に基づいて決定される。
【発明の効果】
【００２１】
本発明によれば、下りリンク制御チャネルを構成するＣＣＥを１個以上の物理リソース上に分散させることにより、ダイバーシティ(ｄｉｖｅｒｓｉｔｙ)の効果が増大する。
【００２２】
本発明で得られる効果は以上に言及した効果に制限されず、言及しなかった他の効果は下記の記載から本発明が属する当該技術分野における当業者に明確に理解されるであろう。
【図面の簡単な説明】
【００２３】
【図１】３ＧＰＰ無線接続網の規格に基づく端末とＥ−ＵＴＲＡＮの間の無線インターフェースプロトコル(Ｒａｄｉｏ Ｉｎｔｅｒｆａｃｅ Ｐｒｏｔｏｃｏｌ)の制御平面(Ｃｏｎｔｒｏｌ Ｐｌａｎｅ)及び使用者平面(Ｕｓｅｒ Ｐｌａｎｅ)構造を示す図である。
【図２】３ＧＰＰシステムに用いられる物理チャネル及びこれらを用いた一般的な信号送信方法を説明する図である。
【図３】ＬＴＥシステムで使用される無線フレームの構造を例示する図である。
【図４】ＬＴＥシステムで使用される下りリンク無線フレームの構造を例示する図である。
【図５】ＬＴＥシステムにおいて下りリンク制御チャネルを構成するために使用されるリソース単位を示す図である。
【図６】ＬＴＥシステムで使用される上りリンクサブフレームの構造を例示する図である。
【図７】ＴＸＲＵとアンテナ要素の連結方式の一例を示す図である。
【図８】Ｓｅｌｆ−ｃｏｎｔａｉｎｅｄサブフレームの構造を例示する図である。
【図９】ＲＥＧを時間軸でバンドリングする一例を示す図である。
【図１０】時間軸に基づいてＲＥＧを分散させる一例を示す図である。
【図１１】時間軸に基づいてＲＥＧを分散させる一例を示す図である。
【図１２】時間軸に基づいてＲＥＧを分散させる一例を示す図である。
【図１３】時間軸に基づいてＲＥＧを分散させる一例を示す図である。
【図１４】ＲＥＧを周波数軸でバンドリングする一例を示す図である。
【図１５】周波数軸に基づいてＲＥＧを分散させる一例を示す図である。
【図１６】周波数軸に基づいてＲＥＧを分散させる一例を示す図である。
【図１７】周波数軸に基づいてＲＥＧを分散させる一例を示す図である。
【図１８】周波数軸に基づいてＲＥＧを分散させる一例を示す図である。
【図１９】ＲＥＧを物理リソースにマッピングする一例を示す図である。
【図２０】ＲＥＧを物理リソースにマッピングする一例を示す図である。
【図２１】ＣＣＥをバンドリングする一例を示す図である。
【図２２】バンドルチャンク単位でＲＥＧを分散させる一例を示す図である。
【図２３】バンドルチャンク単位でＲＥＧを分散させる一例を示す図である。
【図２４】バンドルチャンク単位でＲＥＧを分散させる一例を示す図である。
【図２５】バンドルチャンク単位でＲＥＧを分散させる一例を示す図である。
【図２６】バンドルチャンク単位でＲＥＧを分散させる一例を示す図である。
【図２７】バンドルチャンク単位でＲＥＧを分散させる一例を示す図である。
【図２８】候補下りリンク制御チャネルを構成する方法の一例を示す図である。
【図２９】本発明の一実施例による通信装置を示すブロック構成図である。
【発明を実施するための形態】
【００２４】
以下、添付図面を参照しながら説明する本発明の実施例によって本発明の構成、作用及び他の特徴をより容易に理解できるであろう。以下の実施例は本発明の技術的特徴が３ＧＰＰシステムに適用された例である。
【００２５】
この明細書では、ＬＴＥシステム及びＬＴＥ−Ａシステムを用いて本発明の実施例を説明しているが、これは一例であり、本発明の実施例は上記定義に該当するいかなる通信システムにも適用することができる。
【００２６】
また、この明細書では、基地局の名称がＲＲＨ(ｒｅｍｏｔｅ ｒａｄｉｏ ｈｅａｄ)、ｅＮＢ、ＴＰ(ｔｒａｎｓｍｉｓｓｉｏｎ ｐｏｉｎｔ)、ＲＰ(ｒｅｃｅｐｔｉｏｎ ｐｏｉｎｔ)、中継器(ｒｅｌａｙ)などの包括的な用語で使用されている。
【００２７】
図１は３ＧＰＰ無線接続網の規格に基づく端末とＥ−ＵＴＲＡＮの間の無線インターフェースプロトコルの制御平面及び使用者平面の構造を示す図である。制御平面は端末(Ｕｓｅｒ Ｅｑｕｉｐｍｅｎｔ；ＵＥ)とネットワークが信号を管理するために用いる制御メッセージが送信される通路を意味する。使用者平面はアプリケーション階層で生成されたデータ、例えば、音声データ又はインターネットパケットデータなどが送信される通路を意味する。
【００２８】
第１の階層である物理階層は、物理チャネル(Ｐｈｙｓｉｃａｌ Ｃｈａｎｎｅｌ)を用いて上位階層に情報送信サービス(Ｉｎｆｏｒｍａｔｉｏｎ Ｔｒａｎｓｆｅｒ Ｓｅｒｖｉｃｅ)を提供する。物理階層は上位にある媒体接続制御(Ｍｅｄｉｕｍ Ａｃｃｅｓｓ Ｃｏｎｔｒｏｌ)階層とは送信チャネル(Ｔｒａｎｓｐｏｒｔ Ｃｈａｎｎｅｌ)を介して連結される。この送信チャネルを介して媒体接続制御階層と物理階層の間でデータが移動する。送信側と受信側の物理階層の間では物理チャネルを介してデータが移動する。物理チャネルは時間と周波数を無線リソースとして活用する。具体的には、物理チャネルは、下りリンクにおいて、ＯＦＤＭＡ(Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ)方式で変調され、上りリンクにおいては、ＳＣ−ＦＤＭＡ(Ｓｉｎｇｌｅ Ｃａｒｒｉｅｒ Ｆｒｅｑｕｅｎｃｙ Ｄｉｖｉｓｉｏｎ Ｍｕｌｔｉｐｌｅ Ａｃｃｅｓｓ)方式で変調される。
【００２９】
第２の階層である媒体接続制御(Ｍｅｄｉｕｍ Ａｃｃｅｓｓ Ｃｏｎｔｒｏｌ；ＭＡＣ)階層は、論理チャネル(Ｌｏｇｉｃａｌ Ｃｈａｎｎｅｌ)を介して上位階層である無線リンク制御(Ｒａｄｉｏ Ｌｉｎｋ Ｃｏｎｔｒｏｌ；ＲＬＣ)階層にサービスを提供する。第２の階層のＲＬＣ階層は信頼性のあるデータ送信を支援する。ＲＬＣ階層の機能はＭＡＣ内部の機能ブロックにより具現できる。第２の階層のＰＤＣＰ階層は帯域幅が狭い無線インターフェースにおいてＩＰｖ４或いはＩＰｖ６のようなＩＰパケットを効率的に送信するために不要な制御情報を減らすヘッダ圧縮(Ｈｅａｄｅｒ Ｃｏｍｐｒｅｓｓｉｏｎ)の機能を果たす。
【００３０】
第３の階層である最下部に位置する無線リソース制御(Ｒａｄｉｏ Ｒｅｓｏｕｒｃｅ Ｃｏｎｔｒｏｌ；ＲＲＣ)階層は、制御平面でのみ定義される。ＲＲＣ階層は無線ベアラ(Ｒａｄｉｏ Ｂｅａｒｅｒ)の設定、再設定及び解除に関連して論理チャネル、送信チャネル及び物理チャネルの制御を担当する。無線ベアラは端末とネットワークの間のデータ伝達のために第２の階層により提供されるサービスを意味する。このために、端末とネットワークのＲＲＣ階層は互いにＲＲＣメッセージを交換する。端末とネットワークのＲＲＣ階層の間にＲＲＣ連結(ＲＲＣ Ｃｏｎｎｅｃｔｅｄ)がある場合、端末はＲＲＣ連結状態(Ｃｏｎｎｅｃｔｅｄ Ｍｏｄｅ)であり、そうではない場合はＲＲＣ休止状態(Ｉｄｌｅ Ｍｏｄｅ)である。ＲＲＣ階層の上位にあるＮＡＳ(Ｎｏｎ−Ａｃｃｅｓｓ Ｓｔｒａｔｕｍ)階層は、セッション管理(Ｓｅｓｓｉｏｎ Ｍａｎａｇｅｍｅｎｔ)と移動性管理(Ｍｏｂｉｌｉｔｙ Ｍａｎａｇｅｍｅｎｔ)などの機能を果たす。
【００３１】
ネットワークから端末にデータを送信する下り送信チャネルとしては、システム情報を送信するＢＣＨ(Ｂｒｏａｄｃａｓｔ Ｃｈａｎｎｅｌ)、ページングメッセージを送信するＰＣＨ(Ｐａｇｉｎｇ Ｃｈａｎｎｅｌ)、使用者トラフィックや制御メッセージを送信する下りＳＣＨ(Ｓｈａｒｅｄ Ｃｈａｎｎｅｌ)などがある。下りマルチキャスト又は放送サービスのトラフィック又は制御メッセージの場合、下りＳＣＨを介して送信され、又は特の下りＭＣＨ(Ｍｕｌｔｉｃａｓｔ Ｃｈａｎｎｅｌ)を介して送信されることができる。なお、端末からネットワークにデータを送信する上り送信チャネルとしては、初期制御メッセージを送信するＲＡＣＨ(Ｒａｎｄｏｍ Ａｃｃｅｓｓ Ｃｈａｎｎｅｌ)、使用者トラフィックや制御メッセージを送信する上りＳＣＨ(Ｓｈａｒｅｄ Ｃｈａｎｎｅｌ)がある。送信チャネルの上位にありかつ送信チャネルにマッピングされる論理チャネル(Ｌｏｇｉｃａｌ Ｃｈａｎｎｅｌ)としては、ＢＣＣＨ(Ｂｒｏａｄｃａｓｔ Ｃｏｎｔｒｏｌ Ｃｈａｎｎｅｌ)、ＰＣＣＨ(Ｐａｇｉｎｇ Ｃｏｎｔｒｏｌ Ｃｈａｎｎｅｌ)、ＣＣＣＨ(Ｃｏｍｍｏｎ Ｃｏｎｔｒｏｌ Ｃｈａｎｎｅｌ)、ＭＣＣＨ(Ｍｕｌｔｉｃａｓｔ Ｃｏｎｔｒｏｌ Ｃｈａｎｎｅｌ)、ＭＴＣＨ(Ｍｕｌｔｉｃａｓｔ Ｔｒａｆｆｉｃ Ｃｈａｎｎｅｌ)などがある。
【００３２】
図２は３ＧＰＰシステムに用いられる物理チャネル及びこれらを用いた一般的な信号送信方法を説明する図である。
【００３３】
端末は、電源がオンになったり新たにセルに進入した場合は、基地局と同期を合わせるなどの初期セル探索(Ｉｎｉｔｉａｌ ｃｅｌｌ ｓｅａｒｃｈ)作業を行う(Ｓ２０１)。このために、端末は基地局から主同期チャネル(Ｐｒｉｍａｒｙ Ｓｙｎｃｈｒｏｎｉｚａｔｉｏｎ Ｃｈａｎｎｅｌ； Ｐ−ＳＣＨ)及び副同期チャネル(Ｓｅｃｏｎｄａｒｙ Ｓｙｎｃｈｒｏｎｉｚａｔｉｏｎ Ｃｈａｎｎｅｌ；Ｓ−ＳＣＨ)を受信することによって基地局と同期を合わせ、セルＩＤなどの情報を得ることができる。その後、端末は基地局から物理放送チャネル(Ｐｈｙｓｉｃａｌ Ｂｒｏａｄｃａｓｔ Ｃｈａｎｎｅｌ)を受信してセル内の放送情報を得ることができる。なお、端末は初期セル探索段階において下りリンク参照信号(Ｄｏｗｎｌｉｎｋ Ｒｅｆｅｒｅｎｃｅ Ｓｉｇｎａｌ；ＤＬ ＲＳ)を受信して下りリンクチャネル状態を確認することができる。
【００３４】
初期セル探索を終了した端末は、物理下りリンク制御チャネル(Ｐｈｙｓｉｃａｌ Ｄｏｗｎｌｉｎｋ Ｃｏｎｔｒｏｌ Ｃｈａｎｎｅｌ；ＰＤＣＣＨ)及び該ＰＤＣＣＨに載せられた情報によって物理下りリンク共有チャネル(Ｐｈｙｓｉｃａｌ Ｄｏｗｎｌｉｎｋ Ｃｏｎｔｒｏｌ Ｃｈａｎｎｅｌ；ＰＤＳＣＨ)を受信することによって、より具体的なシステム情報を得ることができる(Ｓ２０２)。
【００３５】
一方、基地局に最初に接続したか或いは信号伝送のための無線リソースがない場合は、端末は、基地局に対して任意接続過程(Ｒａｎｄｏｍ Ａｃｃｅｓｓ Ｐｒｏｃｅｄｕｒｅ；ＲＡＣＨ)を行うことができる(段階Ｓ２０３〜段階Ｓ２０６)。このために、端末は、物理任意接続チャネル(Ｐｈｙｓｉｃａｌ Ｒａｎｄｏｍ Ａｃｃｅｓｓ Ｃｈａｎｎｅｌ；ＰＲＡＣＨ)を介して特定シーケンスをプリアンブルとして伝送し(Ｓ２０３及びＳ２０５)、ＰＤＣＣＨ及び対応するＰＤＳＣＨを介してプリアンブルに対する応答メッセージを受信することができる(Ｓ２０４及びＳ２０６)。競争基盤のＲＡＣＨの場合、さらに衝突解決手順(Ｃｏｎｔｅｎｔｉｏｎ Ｒｅｓｏｌｕｔｉｏｎ Ｐｒｏｃｅｄｕｒｅ)を行うことができる。
【００３６】
上述した手順を行った端末は、その後、一般的な上り／下りリンク信号伝送の手順として、ＰＤＣＣＨ／ＰＤＳＣＨ受信(Ｓ２０７)及び物理上りリンク共有チャネル(Ｐｈｙｓｉｃａｌ Ｕｐｌｉｎｋ Ｓｈａｒｅｄ Ｃｈａｎｎｅｌ；ＰＵＳＣＨ)／物理上りリンク制御チャネル(Ｐｈｙｓｉｃａｌ Ｕｐｌｉｎｋ Ｃｏｎｔｒｏｌ Ｃｈａｎｎｅｌ；ＰＵＣＣＨ)の送信(Ｓ２０８)を行う。特に、端末は、ＰＤＣＣＨを介して下りリンク制御情報(Ｄｏｗｎｌｉｎｋ Ｃｏｎｔｒｏｌ Ｉｎｆｏｒｍａｔｉｏｎ；ＤＣＩ)を受信する。ここで、ＤＣＩは、端末に対するリソース割り当て情報などの制御情報を含み、その使用目的に応じてフォーマットが互いに異なる。
【００３７】
一方、端末が上りリンクを通じて基地局に伝送したり又は端末が基地局から受信したりする制御情報は、下り／上りリンクＡＣＫ／ＮＡＣＫ信号、ＣＱＩ(Ｃｈａｎｎｅｌ Ｑｕａｌｉｔｙ Ｉｎｄｉｃａｔｏｒ)、ＰＭＩ(Ｐｒｅｃｏｄｉｎｇ Ｍａｔｒｉｘ Ｉｎｄｅｘ)、ＲＩ(Ｒａｎｋ Ｉｎｄｉｃａｔｏｒ)などを含む。３ＧＰＰ ＬＴＥシステムの場合、端末は上述したＣＱＩ／ＰＭＩ／ＲＩなどの制御情報をＰＵＳＣＨ及び／又はＰＵＣＣＨを介して伝送することができる。
【００３８】
図３は、ＬＴＥシステムで使用される無線フレームの構造を例示する図である。
【００３９】
図３を参照すると、無線フレームは１０ｍｓ(３２７２００×Ｔｓ)の長さを有し、１０個の均等なサイズのサブフレームで構成されている。各々のサブフレームは１ｍｓの長さを有し、２個のスロットで構成されている。各々のスロットは０.５ｍｓ(１５３６０×Ｔｓ)の長さを有する。ここで、ＴＳはサンプリング時間を示し、ＴＳ＝１／(１５ｋＨｚ×２０４８)＝３.２５５２×１０−８(約３３ｎｓ)のように表示される。スロットは時間領域において複数のＯＦＤＭシンボルを含み、周波数領域において複数のリソースブロック(Ｒｅｓｏｕｒｃｅ Ｂｌｏｃｋ；ＲＢ)を含む。ＬＴＥシステムにおいて、１つのリソースブロックは１２個の副搬送波×７(６)個のＯＦＤＭシンボルを含む。データが送信される単位時間であるＴＴＩ(Ｔｒａｎｓｍｉｓｓｉｏｎ Ｔｉｍｅ Ｉｎｔｅｒｖａｌ)は、１個以上のサブフレーム単位で決められることができる。上述した無線フレームの構造は例示に過ぎず、無線フレームに含まれるサブフレームの数、サブフレームに含まれるスロットの数及びスロットに含まれるＯＦＤＭシンボルの数は様々に変更できる。
【００４０】
図４は、下りリンク無線フレームにおいて１個のサブフレームの制御領域に含まれる制御チャネルを例示する図である。
【００４１】
図４を参照すると、サブフレームは１４個のＯＦＤＭシンボルで構成されている。サブフレームの設定によって最初の１〜３個のＯＦＤＭシンボルは制御領域として使用され、残りの１３〜１１個のＯＦＤＭシンボルはデータ領域として使用される。図面において、Ｒ１〜Ｒ４は、アンテナ０〜３に対する基準信号(Ｒｅｆｅｒｅｎｃｅ Ｓｉｇｎａｌ(ＲＳ)又はＰｉｌｏｔ Ｓｉｇｎａｌ)を示す。ＲＳは制御領域及びデータ領域とは関係なく、サブフレーム内に一定のパターンで固定される。制御チャネルは制御領域のうちＲＳが割り当てられないリソースに割り当てられ、トラフィックチャネルもデータ領域のうちＲＳが割り当てられないリソースに割り当てられる。制御領域に割り当てられる制御チャネルとしては、ＰＣＦＩＣＨ(Ｐｈｙｓｉｃａｌ Ｃｏｎｔｒｏｌ Ｆｏｒｍａｔ Ｉｎｄｉｃａｔｏｒ ＣＨａｎｎｅｌ)、ＰＨＩＣＨ(Ｐｈｙｓｉｃａｌ Ｈｙｂｒｉｄ−ＡＲＱ Ｉｎｄｉｃａｔｏｒ ＣＨａｎｎｅｌ)、ＰＤＣＣＨ(Ｐｈｙｓｉｃａｌ Ｄｏｗｎｌｉｎｋ Ｃｏｎｔｒｏｌ ＣＨａｎｎｅｌ)などがある。
【００４２】
ＰＣＦＩＣＨは物理制御フォーマット指示子チャネルであって、サブフレームごとにＰＤＣＣＨに使用されるＯＦＤＭシンボルの数を端末に知らせる。ＰＣＦＩＣＨは最初のＯＦＤＭシンボルに位置し、ＰＨＩＣＨ及びＰＤＣＣＨに優先して設定される。ＰＣＦＩＣＨは４個のＲＥＧで構成され、それぞれのＲＥＧはセルＩＤに基づいて制御領域内に分散される。１個のＲＥＧは４個のＲＥで構成される。ＲＥは１個の副搬送波×１個のＯＦＤＭシンボルで定義される最小物理リソースを示す。ＰＣＦＩＣＨ値は帯域幅によって１〜３又は２〜４の値を指示し、ＱＰＳＫ(Ｑｕａｄｒａｔｕｒｅ Ｐｈａｓｅ Ｓｈｉｆｔ Ｋｅｙｉｎｇ)で変調される。
【００４３】
ＰＨＩＣＨは物理ＨＡＲＱ(Ｈｙｂｒｉｄ−Ａｕｔｏｍａｔｉｃ Ｒｅｐｅａｔ ａｎｄ ｒｅｑｕｅｓｔ)指示子チャネルであって、上りリンク伝送に対するＨＡＲＱ ＡＣＫ／ＮＡＣＫを運ぶために使用される。即ち、ＰＨＩＣＨはＵＬ ＨＡＲＱのためのＤＬ ＡＣＫ／ＮＡＣＫ情報が伝送されるチャネルを示す。ＰＨＩＣＨは１個のＲＥＧで構成され、セル特定にスクランブルされる。ＡＣＫ／ＮＡＣＫは１ビットで指示され、ＢＰＳＫ(Ｂｉｎａｒｙ ｐｈａｓｅ ｓｈｉｆｔ ｋｅｙｉｎｇ)で変調される。変調されたＡＣＫ／ＮＡＣＫは拡散因子(Ｓｐｒｅａｄｉｎｇ Ｆａｃｔｏｒ；ＳＦ)＝２又は４に拡散される。同一のリソースにマッピングされる複数のＰＨＩＣＨはＰＨＩＣＨグループを構成する。ＰＨＩＣＨグループに多重化されるＰＨＩＣＨの数は拡散コードの数によって決定される。ＰＨＩＣＨ(グループ)は周波数領域及び／又は時間領域でダイバーシティの利得を得るために３回繰り返される。
【００４４】
ＰＤＣＣＨは物理下りリンク制御チャネルであって、サブフレームの最初のｎ個のＯＦＤＭシンボルに割り当てられる。ここで、ｎは１以上の整数であって、ＰＣＦＩＣＨによって指示される。ＰＤＣＣＨは１個以上のＣＣＥで構成される。ＰＤＣＣＨは伝送チャネルであるＰＣＨ(Ｐａｇｉｎｇ ｃｈａｎｎｅｌ)及びＤＬ−ＳＣＨ(Ｄｏｗｎｌｉｎｋ−ｓｈａｒｅｄ ｃｈａｎｎｅｌ)のリソース割り当てに関連する情報、上りリンクスケジューリンググラント(Ｕｐｌｉｎｋ Ｓｃｈｅｄｕｌｉｎｇ Ｇｒａｎｔ)、ＨＡＲＱ情報などを各端末又は端末グループに知らせる。ＰＣＨ(Ｐａｇｉｎｇ ｃｈａｎｎｅｌ)及びＤＬ−ＳＣＨ(Ｄｏｗｎｌｉｎｋ−ｓｈａｒｅｄ ｃｈａｎｎｅｌ)はＰＤＳＣＨを介して伝送される。よって、基地局と端末は一般的に、特定の制御情報又は特定のサービスデータを除いては、ＰＤＳＣＨを介してデータをそれぞれ伝送及び受信する。
【００４５】
ＰＤＳＣＨのデータはどの端末(１個又は複数の端末)に伝送されるものであり、各々の端末がどのようにＰＤＳＣＨデータを受信してデコーディングするかに関する情報などが、ＰＤＣＣＨに含まれて伝送される。例えば、特定ＰＤＣＣＨが“Ａ”というＲＮＴＩ(Ｒａｄｉｏ Ｎｅｔｗｏｒｋ Ｔｅｍｐｏｒａｒｙ Ｉｄｅｎｔｉｔｙ)でＣＲＣマスキングされており、“Ｂ”という無線リソース(例、周波数位置)及び“Ｃ”というＤＣＩフォーマット、即ち伝送形式情報(例、伝送ブロックサイズ、変調方式、コーディング情報など)を用いて伝送されるデータに関する情報が、特定のサブフレームを介して伝送されると仮定する。この場合、セル内の端末は、自分が有しているＲＮＴＩ情報を用いて検索領域でＰＤＣＣＨをモニタリングして、即ち、ブラインドデコードして、“Ａ”ＲＮＴＩを有する１個以上の端末があれば、上記端末はＰＤＣＣＨを受信し、受信したＰＤＣＣＨの情報を通じて“Ｂ”と“Ｃ”により指示されるＰＤＳＣＨを受信する。
【００４６】
図５はＬＴＥシステムにおいて下りリンク制御チャネルを構成するために使用されるリソース単位を示す図である。特に、図５の(ａ)は基地局の送信アンテナの数が１又は２個である場合を示しており、図５の(ｂ)は基地局の送信アンテナの数が４個である場合を示している。送信アンテナの数によってＲＳ(Ｒｅｆｅｒｅｎｃｅ Ｓｉｇｎａｌ)パターンが異なるだけで、制御チャネルに関連するリソース単位の設定方法は同一である。
【００４７】
図５を参照すると、下りリンク制御チャネルの基本リソース単位はＲＥＧ(Ｒｅｓｏｕｒｃｅ Ｅｌｅｍｅｎｔ Ｇｒｏｕｐ)である。ＲＥＧはＲＳを除いて４個の隣り合うリソース要素(ＲＥ)で構成される。図面においてＲＥＧは太線で表している。ＰＣＦＩＣＨ及びＰＨＩＣＨはそれぞれ、４個のＲＥＧ及び３個のＲＥＧを含む。ＰＤＣＣＨはＣＣＥ単位で構成され、１個のＣＣＥは９個のＲＥＧを含む。
【００４８】
端末は自分に
2019522425.tif 000003
個のＣＣＥからなるＰＤＣＣＨが伝送されたか否かを確認するために、
2019522425.tif 000004
個の連続するか或いは特定の規則で配置されたＣＣＥを確認する。端末がＰＤＣＣＨ受信のために考慮すべき
2019522425.tif 000005
値は複数であってもよい。端末がＰＤＣＣＨ受信のために確認すべきＣＣＥ集合を検索領域(ｓｅａｒｃｈ ｓｐａｃｅ)という。一例として、ＬＴＥシステムでは検索領域を表１のように定義している。
【００４９】
【表１】
2019522425.tif 000006
【００５０】
ここで、ＣＣＥ集成レベル
2019522425.tif 000007
はＰＤＣＣＨを構成するＣＣＥの数を表し、
2019522425.tif 000008
は、ＣＣＥ集成レベル
2019522425.tif 000009
の検索領域を表し、
2019522425.tif 000010
は集成レベル
2019522425.tif 000011
の検索領域においてモニタすべきＰＤＣＣＨ候補の数である。
【００５１】
検索領域は、特定端末に対してのみ接近が許容される端末特定検索領域(ＵＥ−ｓｐｅｃｉｆｉｃ ｓｅａｒｃｈ ｓｐａｃｅ)と、セル内の全端末に対して接近が許容される共通検索領域(ｃｏｍｍｏｎ ｓｅａｒｃｈ ｓｐａｃｅ)とに区別できる。端末は、ＣＣＥ集成レベルが４及び８である共通検索領域をモニタし、ＣＣＥ集成レベルが１、２、４及び８である端末−特定検索領域をモニタする。共通検索領域及び端末特定検索領域はオーバーラップしてもよい。
【００５２】
また、各々のＣＣＥ集成レベル値に対して任意の端末に与えられるＰＤＣＣＨ検索領域において最初の(最も小さいインデックスを有する)ＣＣＥの位置は、端末によって毎サブフレームごとに変わる。これをＰＤＣＣＨ検索領域ハッシュ(ｈａｓｈｉｎｇ)という。
【００５３】
ＣＣＥはシステム帯域に分散されてもよい。より具体的には、論理的に連続した複数のＣＣＥをインターリーバ(ｉｎｔｅｒｌｅａｖｅｒ)に入力することができ、該インターリーバは、入力された複数のＣＣＥをＲＥＧ単位で取り混ぜる機能を果たす。このため、１個のＣＣＥを構成する周波数／時間リソースが物理的にサブフレームの制御領域内で全ての周波数／時間領域に亘って散在して分布する。その結果、制御チャネルはＣＣＥ単位で構成されるが、インターリービングがＲＥＧ単位で行われるため、周波数ダイバーシティ及び干渉ランダム化(ｉｎｔｅｒｆｅｒｅｎｃｅ ｒａｎｄｏｍｉｚａｔｉｏｎ)の利得を最大化することができる。
【００５４】
図６は、ＬＴＥシステムで使用される上りリンクサブフレームの構造を示す図である。
【００５５】
図６を参照すると、上りリンクサブフレームは、制御情報を運ぶＰＵＣＣＨ(Ｐｈｙｓｉｃａｌ Ｕｐｌｉｎｋ Ｃｏｎｔｒｏｌ ＣＨａｎｎｅｌ)が割り当てられる領域と、使用者データを運ぶＰＵＳＣＨ(Ｐｈｙｓｉｃａｌ Ｕｐｌｉｎｋ Ｓｈａｒｅｄ ＣＨａｎｎｅｌ)が割り当てられる領域とに分けられる。サブフレームの中間部分がＰＵＳＣＨに割り当てられ、周波数領域でデータ領域の両側部分がＰＵＣＣＨに割り当てられる。ＰＵＣＣＨ上に伝送される制御情報としては、ＨＡＲＱに使用されるＡＣＫ／ＮＡＣＫ、下りリンクチャンネル状態を示すＣＱＩ(Ｃｈａｎｎｅｌ Ｑｕａｌｉｔｙ Ｉｎｄｉｃａｔｏｒ)、ＭＩＭＯのためのＲI(Ｒａｎｋ Ｉｎｄｉｃａｔｏｒ)、上りリンク資源割り当て要請であるＳＲ(Ｓｃｈｅｄｕｌｉｎｇ Ｒｅｑｕｅｓｔ)などがある。１個の端末に対するＰＵＣＣＨは、サブフレーム内の各々のスロットで互いに異なる周波数を占める１個の資源ブロックを使用する。即ち、ＰＵＣＣＨに割り当てられる２個の資源ブロックは、スロット境界で周波数ホッピング(ｆｒｅｑｕｅｎｃｙ ｈｏｐｐｉｎｇ)される。特に、図６では、ｍ＝０であるＰＵＣＣＨ、ｍ＝１であるＰＵＣＣＨ、ｍ＝２であるＰＵＣＣＨ、ｍ＝３であるＰＵＣＣＨがサブフレームに割り当てられることを例示している。
【００５６】
以下、チャネル状態情報(ｃｈａｎｎｅｌ ｓｔａｔｅ ｉｎｆｏｒｍａｔｉｏｎ、ＣＳＩ)の報告に関して説明する。現在のＬＴＥ標準では、チャネル状態情報無しに運用される開ループ(ｏｐｅｎ−ｌｏｏｐ)ＭＩＭＯとチャネル状態情報に基づいて運用される閉ループ(ｃｌｏｓｅｄ−ｌｏｏｐ)ＭＩＭＯの２種類の送信方式がある。特に、閉ループＭＩＭＯでは、ＭＩＭＯアンテナの多重化利得を得るために基地局及び端末は各々チャネル状態情報に基づいてビーム形成を行うことができる。基地局はチャネル状態情報を端末から得るために、端末にＰＵＣＣＨ(Ｐｈｙｓｉｃａｌ Ｕｐｌｉｎｋ Ｃｏｎｔｒｏｌ Ｃｈａｎｎｅｌ)又はＰＵＳＣＨ(Ｐｈｙｓｉｃａｌ Ｕｐｌｉｎｋ Ｓｈａｒｅｄ ＣＨａｎｎｅｌ)を割り当てて、下りリンク信号に対するチャネル状態情報(ＣＳＩ)をフィードバックすることを命令する。
【００５７】
ＣＳＩは大きくはＲＩ(Ｒａｎｋ Ｉｎｄｉｃａｔｏｒ)、ＰＭＩ(Ｐｒｅｃｏｄｉｎｇ Ｍａｔｒｉｘ  ｉｎｄｅｘ)、ＣＱＩ(Ｃｈａｎｎｅｌ Ｑｕａｌｉｔｙ Ｉｎｄｉｃａｔｉｏｎ)の３種類の情報に分類される。まず、ＲＩは上述したように、チャネルのランク情報を示し、端末が同一の周波数−時間リソースを用いて受信できるストリームの数を意味する。またＲＩはチャネルの長期間フェージング(ｌｏｎｇ ｔｅｒｍ ｆａｄｉｎｇ)によって決定されるので、通常ＰＭＩ、ＣＱＩの値に比べて長い周期で基地局にフィードバックされる。
【００５８】
次に、ＰＭＩはチャネルの空間特性を反映した値であり、ＳＩＮＲなどのメトリックに基づいて端末が好む基地局のプリコーディング行列インデックスを意味する。最後に、ＣＱＩはチャネルの強度を示す値であり、通常、基地局がＰＭＩを用いた時に得られる受信ＳＩＮＲを意味する。 
【００５９】
３ＧＰＰ ＬＴＥ−Ａシステムにおいて、基地局は多数のＣＳＩプロセスをＵＥに設定し、各々のＣＳＩプロセスに対するＣＳＩが報告される。ここで、ＣＳＩプロセスは、基地局からの信号品質特定のためのＣＳＩ−ＲＳリソースと干渉測定のためのＣＳＩ−ＩＭ(ｉｎｔｅｒｆｅｒｅｎｃｅ ｍｅａｓｕｒｅｍｅｎｔ)リソース、即ちＩＭＲ(ｉｎｔｅｒｆｅｒｅｎｃｅ ｍｅａｓｕｒｅｍｅｎｔ ｒｅｓｏｕｒｃｅ)で構成される。
【００６０】
ミリメートル波長(ｍｉｌｌｉｍｅｔｅｒ ｗａｖｅ，ｍｍＷ)では波長が短くなって、同じ面積に多数のアンテナ要素を設けることが可能になる。例えば、１ｃｍ程度の波長を有する３０ＧＨｚ帯域においては４ｂｙ４ｃｍのパネルに０．５λ(波長)間隔で２Ｄ配列形態である総６４個(８×８)のアンテナ要素を設けることができる。よって、ｍｍＷでは、多数のアンテナ要素を使用してビーム形成の利得を高めてカバレッジを増加させるか、或いは処理量(ｔｈｒｏｕｇｈｐｕｔ)を高めることができる。
【００６１】
この場合、アンテナ要素ごとに送信パーワ及び位相を調節できるようにＴＸＲＵ(ｔｒａｎｓｃｅｉｖｅｒ ｕｎｉｔ)を有すると、周波数リソースごとに独立的なビーム形成が可能になる。しかし、１００余個の全てのアンテナ要素にＴＸＲＵを設けることは費用面で実効性が乏しい。従って、１個のＴＸＲＵに多数のアンテナ要素をマッピングし、アナログ位相シフター(ａｎａｌｏｇ ｐｈａｓｅ ｓｈｉｆｔｅｒ)でビーム方向を調節する方式が考えられている。かかるアナログビーム形成方式では、全帯域において１個のビーム方向のみを形成するので、周波数選択的なビーム形成が難しいという短所がある。
【００６２】
デジタルＢＦとアナログＢＦの中間形態として、Ｑ個のアンテナ要素より少ない数のＢ個のＴＸＲＵを有するｈｙｂｒｉｄ ＢＦが考えられる。この場合、Ｂ個のＴＸＲＵとＱ個のアンテナ要素の連結方式によって差はあるが、同時に送信可能なビーム方向はＢ個以下に制限される。
【００６３】
図７はＴＸＲＵとアンテナ要素の連結方式の一例を示す図である。
【００６４】
図７の(ａ)はＴＸＲＵがサブ−アレイ(ｓｕｂ−Ａｒｒａｙ)に連結された方式を示す。この場合、アンテナ要素は１個のＴＸＲＵにのみ連結される。一方、図６の(ｂ)はＴＸＲＵが全てのアンテナ要素に連結された方式を示す。この場合、アンテナ要素は全てのＴＸＲＵに連結される。図７においてＷはアナログ位相遷移器により乗じられる位相ベクトルを示す。即ち、Ｗによりアナログビーム形成の方向が決定される。ここで、ＣＳＩ−ＲＳアンテナポートとＴＸＲＵとのマッピングは、１−ｔｏ−１又は１−ｔｏ−多であることができる。
【００６５】
より多くの通信装置がより大きな通信容量を要求することになり、既存のＲＡＴに比べて向上した無線広帯域通信が要求されている。また、複数の装置と客体(ｏｂｊｅｃｔ)を相互接続していつどこでも様々なサービスを提供するための大規模(ｍａｓｓｉｖｅ)ＭＴＣ(Ｍａｃｈｉｎｅ Ｔｙｐｅ Ｃｏｍｍｕｎｉｃａｔｉｏｎｓ)は、次世代通信において考慮すべき主要争点の１個である。また、信頼度及び待機時間に敏感なサービス／ＵＥを考慮した通信システムのデザインが論議中である。かかる点を考慮した次世代ＲＡＴの導入が論議されており、本達明では便宜上、ＮｅｗＲＡＴと呼ぶ。
【００６６】
ＴＤＤシステムにおいて、データ送信遅延(ｌａｔｅｎｃｙ)を最小化するために、５世代ＮｅｗＲＡＴでは図８の(ａ)、(ｂ)のようなｓｅｌｆ-ｃｏｎｔａｉｎｅｄサブフレーム構造が考えられている。図８の(ａ)、(ｂ)はｓｅｌｆ−ｃｏｎｔａｉｎｅｄサブフレームの構造を例示する図である。
【００６７】
図８の(ａ)において、斜線領域は下りリンク制御領域を示し、黒色部分は上りリンク制御領域を示す。その他の領域は下りリンク又は上りリンクデータ送信のために使用される。かかる構造の特徴は、１個のサブフレーム内で下りリンク送信と上りリンク送信が順に行われるので、サブフレーム内で下りリンクデータを出し、上りリンクＡＣＫ/ＮＡＣＫを受けることができる。結果として、データ送信エラーの発生時にデータ再伝送までにかかる時間を短縮させることにより、最終データ伝達の遅延を最小化することができる。
【００６８】
かかるｓｅｌｆ−ｃｏｎｔａｉｎｅｄサブフレームの構造において、基地局とＵＥは送信モードから受信モードへの転換過程又は受信モードから送信モードへの転換過程のための時間ギャップが必要である。このために、ｓｅｌｆ−ｃｏｎｔａｉｎｅｄサブフレーム構造において、下りリンクから上りリンクへの転換時、一部ＯＦＤＭシンボル(ＯＦＤＭシンボル;ＯＳ)はＧＰ(ｇｕａｒｄ ｐｅｒｉｏｄ)として設定される。
【００６９】
ＮｅｗＲＡＴに基づいて動作するシステムにおいて、構成／設定可能なｓｅｌｆ−ｃｏｎｔａｉｎｅｄサブフレームタイプの一例として、少なくとも以下の４種類のサブフレームタイプが考えられる。
【００７０】
(１)下りリンク制御区間＋下りリンクデータ区間＋ＧＰ＋上りリンク制御区間
【００７１】
(２)下りリンク制御区間＋下りリンクデータ区間
【００７２】
(３)下りリンク制御区間＋ＧＰ＋上りリンクデータ区間＋上りリンク制御区間
【００７３】
(４)下りリンク制御区間＋ＧＰ＋上りリンクデータ区間
【００７４】
図８の(ｂ)は上記４種類のサブフレームタイプのうち、(１)、(３)のサブフレームタイプを示している。
【００７５】
かかる構造では、下りリンク制御チャネルのために１個以上のシンボルを割り当てることができ、下りリンク制御チャネルを活用して制御情報を伝送することができる。この時、制御情報を伝送するための最小単位であるＲＥＧを構成でき、かかるＲＥＧを一定の数に基づいてグルーピングしてＣＣＥを構成することができる。例えば、ＲＥＧは１ＲＢ、ＣＣＥは６ＲＥＧｓの単位で構成することができる。
【００７６】
なお、ＣＣＥを構成する時、ダイバーシティ効果などのためにＲＥＧを物理リソース上に分散させることができ、この場合、インターリーバ(ｉｎｔｅｒｌｅａｖｅｒ)を活用することができる。
【００７７】
本発明では、かかるＮｅｗＲＡＴにおいて考慮できる下りリンク制御チャネルにおけるインターリーバを構成する方法を提案する。
【００７８】
ＲＥＧ間のバンドリングに基づくインターリーバデザイン方法
【００７９】
ＮｅｗＲＡＴでは既存のＬＴＥシステムとは異なり、使用者及び／又は使用者グループごとにＣＯＲＥＳＥＴ(ＣＯｎｔｒｏｌ ＲＥｓｏｕｒｃｅ ＳＥＴ)を指定することができる。またＣｅｌｌ−ｓｐｅｃｉｆｉｃ ＲＳ(Ｒｅｆｅｒｅｎｃｅ Ｓｉｇｎａｌ)の代わりにＵＥ−ｓｐｅｃｉｆｉｃ ＲＳのみが伝送されることもできる。この場合、多数のＲＥＧを連続してバンドリングして配置することができ、チャネル推定(ｃｈａｎｎｅｌ ｅｓｔｉｍａｔｉｏｎ)もバンドル単位内に存在する全てのＵＥ−ｓｐｅｃｉｆｉｃ ＲＳを活用して行うことにより、チャネル推定性能を高めることができる。
【００８０】
例えば、もう１個のＣＣＥが６個のＲＥＧで構成される場合、ＲＥＧを２個或いは３個単位でバンドリングすることができる。かかるＲＥＧバンドリング単位はシステムに予め定義されているか、或いは基地局が使用者に上位階層シグナリング(ｈｉｇｈｅｒ ｌａｙｅｒ ｓｉｇｎａｌｉｎｇ)及び／又は物理階層シグナリング(ｐｈｙｓｉｃａｌ ｌａｙｅｒ ｓｉｇｎａｌｉｎｇ)を通じて指示することができる。
【００８１】
なお、ＲＥＧ間のバンドリングを行う場合、ＲＥＧを時間軸でバンドリングすることができ、周波数軸でバンドリングすることもでき、時間−周波数軸の両方にバンドリングすることもできる。但し、多数のＲＥＧをバンドリングする場合、バンドリングされた多数のＲＥＧは実際の物理リソース上にも連続して配置されなければならないので、バンドリングされたＲＥＧ単位でインターリーバを適用しなければならない。
【００８２】
本発明ではＣＣＥを構成するＲＥＧ間において時間軸又は周波数軸でバンドリングする場合を仮定して説明しているが、ＲＥＧバンドリングの数によってＲＥＧ間において時間軸及び周波数軸でバンドリングされることもできる。例えば、ＲＥＧバンドリング単位が４である場合、２個のＲＥＧが時間軸に結ばれた後、時間軸に結ばれた２個のＲＥＧが再び周波数軸に２対が結ばれてバンドリングされることもできる。
【００８３】
この場合、本発明において称するバンドル単位インデックスが、時間軸及び周波数軸でバンドリングされた多数のＲＥＧグループに対応していると言える。
【００８４】
実施例１：ＲＥＧを時間軸でバンドリングする場合のインターリーバデザイン方法
【００８５】
ＣＯＲＥＳＥＴが時間軸に２個以上のシンボルで構成される場合、ＲＥＧを時間軸でバンドリングすることが考えられる。この時、図９に示したように、ＲＥＧの時間軸バンドリングのサイズは、端末に設定されるＣＯＲＥＳＥＴの期間(ｄｕｒａｔｉｏｎ)と同一に構成できる。
【００８６】
例えば、１個のＣＣＥを構成するＲＥＧの数が６個である場合、ＣＯＲＥＳＥＴ期間が１シンボルであると、時間軸バンドリング無しに１シンボル内で周波数軸に分散させることができ、ＣＯＲＥＳＥＴ期間が２シンボル又は３シンボルで構成されると、各々のＲＥＧの時間軸バンドリングのサイズを２個又は３個で構成した後、バンドル単位で周波数軸に分散させることができる。
【００８７】
この時、ＲＥＧバンドリングのサイズはＣＯＲＥＳＥＴ期間と異なるように設定されることができ、ＲＥＧバンドリングのサイズはシステムに予め定義されるか、基地局が端末に上位階層シグナリング及び／又は物理階層シグナリングを通じて指示するか、或いはＣＯＲＥＳＥＴの設定(例えば、ＣＯＲＥＳＥＴ期間)によって決定されることができる。
【００８８】
同様に、ＲＥＧバンドリングが時間軸に構成されるか又は周波数軸に構成されるかは、システムに予め定義されるか、基地局が端末に上位階層シグナリング及び／又は物理階層シグナリングを通じて指示するか、ＣＯＲＥＳＥＴの設定(例えば、ＣＯＲＥＳＥＴ期間)によって決定されるか、或いはＣＣＥバンドリングの設定によって決定されることができる。
【００８９】
この時、時間軸でバンドリングされたＲＥＧを周波数軸に分散させる方法は、図９に示したように、ＣＯＲＥＳＥＴの帯域幅内でバンドル単位で等間隔に最大限分散させることができ、バンドル単位で不規則な間隔でランダムに分散させることもできる。但し、バンドリングを行わない場合には、ＲＥＧ単位で分散させることができる。
【００９０】
＜実施例１−１:バンドル単位でランダムに分散させる方法＞
【００９１】
ＲＥＧをバンドル単位でランダムに分散させるためにブロックインターリーバを活用することができる。例えば、端末に設定されたＣＯＲＥＳＥＴに含まれることができる最大のＲＥＧバンドルの数がｍ個である場合、列(ｃｏｌｕｍｎ)の数がｋ個に固定された行列(ｍａｔｒｉｘ)に行単位(ｒｏｗ−ｂｙ−ｒｏｗ)で順にＲＥＧバンドルの論理インデックス(ｌｏｇｉｃａｌ ｉｎｄｅｘ)をマッピングすることができる。
【００９２】
この時、行列の行の数ｌはｍ≦ｌ×ｋを満たす最小の定数になり、もしｍ＜ｌ×ｋの場合は、最後の行(ｒｏｗ)の端にｌ×ｋ−ｍほどのｎｕｌｌ値を埋め込むことによりｌ×ｋの行列を構成することができる。その後、予め定義された列(ｃｏｌｕｍｎ)間の置換パターン(ｐｅｒｍｕｔａｔｉｏｎ  ｐａｔｔｅｒｎ)を用いて列単位で置換を適用した後、最初の列の要素から列単位(ｃｏｌｕｍｎ−ｂｙ−ｃｏｌｕｍｎ)で順に並べることにより、ＲＥＧバンドルの論理インデックスをインターリービングすることができる。
【００９３】
この時、インターリービングされたＲＥＧバンドルのインデックスを物理ドメインにマッピングする時には、元々ＲＥＧバンドル単位でグルーピングされている多数のＲＥＧの論理インデックスを時間軸に順にマッピングすることにより、時間軸のバンドル単位を考慮してバンドル単位でＲＥＧをＣＯＲＥＳＥＴにランダムに分散させることができる。
【００９４】
ここで、インターリービングする行列の列のサイズ及び列間の置換パターンは、システムに予め定義された形態であることができ、基地局が端末に上位階層シグナリング及び／又は物理階層シグナリングを通じて指示することもできる。
【００９５】
図１０は上述した説明の詳しい例示を説明する図である。図１０を参照すると、１個のＣＣＥが６個のＲＥＧで構成され、ＲＥＧバンドル単位が２であり、ｍ＝６、ｋ＝５、ｌ＝２であり、列間の置換パターンは＜４,２,１,３,０＞である。
【００９６】
図１０の例示では、本発明の理解を容易にするために極めて制限的な数のＲＥＧのみで概略的に示しているので、ＲＥＧバンドルが分散される程度が制限的であるが、実際のシステムで指定するＣＯＲＥＳＥＴのサイズは十分に大きいので、ＲＥＧバンドル単位が周波数軸上で十分にランダムに分散されて構成されることができる。
【００９７】
なお、図１０及び上述した実施例では列の数が固定されているが、行の数が固定された場合にも上述した実施例を適用できる。
【００９８】
より詳しく説明するために、図１１を参照しながら、行の数が固定された行列に基づいてＲＥＧをバンドル単位で分散させる方法について説明する。
【００９９】
図１１を参照すると、端末に設定されたＣＯＲＥＳＥＴに含まれることができる最大のＲＥＧバンドルの数がｍ個である場合、行の数がｋ個に固定された行列に列単位で順にＲＥＧバンドルの論理インデックスをマッピングすることができる。
【０１００】
図１１では、１個のＣＣＥが６個のＲＥＧで構成され、ＲＥＧバンドル単位が２であり、ｍ＝６、ｋ＝５であるので、ｍ≦ｌ×ｋを満たす行列の列の数ｌは２である。
【０１０１】
また、ｍ＜ｌ×ｋであるので、最後の列の端部にｌ×ｋ−ｍ＝２×５−６＝４ほどのｎｕｌｌ値を埋め込むことにより、ｋ×ｌ、即ち、５×２の行列を構成することができる。その後、予め定義された行間の置換パターンである＜４,２,１,３,０＞を用いて行単位で置換を適用した後、最初の行の要素から行単位で順に並べることにより、ＲＥＧバンドルの論理インデックスをインターリービングすることができる。
【０１０２】
この時、インターリービングされたＲＥＧバンドルのインデックスを物理ドメインにマッピングする時には、元々ＲＥＧバンドル単位でグルーピングされている多数のＲＥＧの論理インデックスを時間軸に順にマッピングすることにより、時間軸のバンドル単位を考慮してバンドル単位でＲＥＧをＣＯＲＥＳＥＴにランダムに分散させることができる。
【０１０３】
ここで、インターリービングする行列の行のサイズ及び行間の置換パターンは、システムに予め定義された形態であることができ、基地局が端末に上位階層シグナリング及び／又は物理階層シグナリングを通じて指示することもできる。
【０１０４】
＜実施例１−２：バンドル単位で等間隔に分散させる方法＞
【０１０５】
周波数軸上で周波数ダイバーシティ効果を極大化するためには、ＲＥＧバンドル単位をＣＯＲＥＳＥＴの帯域幅にできる限り均等に広がるように構成することができる。かかる構成はブロックインターリーバ動作において行列の列の数を１個のＣＣＥに対応する単位(例えば、１個のＣＣＥに対応するＲＥＧバンドル)の数に設定し、列又は行間の置換(Ｃｏｌｕｍｎ ｏｒ Ｒｏｗ ｐｅｒｍｕｔａｔｉｏｎ)過程を行わないように設定することができる。ここで、列又は行間の置換過程を行わないとは、列又は行間の置換パターンが上述した実施例１−１に基づいて＜０,１,２,３,４＞であることを意味する。
【０１０６】
図１２を参照すると、１つのＣＣＥが６個のＲＥＧで構成され、ＲＥＧバンドリング単位が２である場合、１個のＣＣＥに対応するＲＥＧバンドルインデックスが３個であるので、行列の列の数を１個のＣＣＥに対応するＲＥＧバンドルの数に合わせて３に構成することができる。
【０１０７】
即ち、列の数が３個であるので、行の数は２になる。これは、ｍ≦ｌ×ｋを満たすｌの数が２であるためである(ｍ＝６，ｌ＝３)。その後、行列に行単位で順にＲＥＧバンドルの論理インデックスをマッピングし、最初の列の要素から列単位で順に並べることにより、ＲＥＧバンドルの論理インデックスをインターリービングすることができる。
【０１０８】
この時、インターリービングされたＲＥＧバンドルのインデックスを物理ドメインにマッピングする時には、元々ＲＥＧバンドル単位でグルーピングされている多数のＲＥＧの論理インデックスを時間軸に順にマッピングすることにより、時間軸のバンドル単位を考慮してバンドル単位でＲＥＧをＣＯＲＥＳＥＴに等間隔に分散させることができる。
【０１０９】
以下、図１３を参照しながら、行の数が３である場合について考えると、列の数が２になる。その後、行列に列単位で順にＲＥＧバンドルの論理インデックスをマッピングし、最初の行の要素から行単位で順に並べることにより、ＲＥＧバンドルの論理インデックスをインターリービングすることができる。
【０１１０】
この時、インターリービングされたＲＥＧバンドルのインデックスを物理ドメインにマッピングする時には、元々ＲＥＧバンドル単位でグルーピングされている多数のＲＥＧの論理インデックスを時間軸に順にマッピングすることにより、時間軸のバンドル単位を考慮してバンドル単位でＲＥＧをＣＯＲＥＳＥＴに等間隔に分散させることができる。
【０１１１】
なお、実施例１−１で説明したように、図１２においてインターリービングする行列の列のサイズ又は図１３においてインターリービングする行列の行のサイズは、システムに予め定義された形態であることができ、又は基地局が端末に上位階層シグナリング及び／又は物理階層シグナリングを通じて指示することもできる。
【０１１２】
実施例２：ＲＥＧを周波数軸でバンドリングする場合のインターリーバデザイン方法
【０１１３】
もし、ＲＥＧを周波数軸でバンドリングする場合、図１４のように、ＣＯＲＥＳＥＴが多数のシンボルで構成されても、１個のＣＣＥを構成するＲＥＧが１シンボル内に存在することができる。
【０１１４】
＜実施例２−１：バンドル単位でランダムに分散させる方法＞
【０１１５】
ＲＥＧをバンドル単位でランダムに分散させる方法は、上述した実施例１−１で説明した方法をそのまま適用することができる。但し、図１５及び図１６のように、インターリービングされたバンドル単位インデックスを物理リソースにマッピングする時、１個のバンドル単位内に含まれたＲＥＧのインデックスを周波数軸に連続してマッピングすることにより、バンドル単位を維持しながら周波数軸にランダムに分散させることができる。
【０１１６】
＜実施例２−２：バンドル単位で等間隔に分散させる方法＞
【０１１７】
ＲＥＧをバンドル単位で等間隔に分散させる方法は、上述した実施例１−２で説明した方法をそのまま適用することができる。但し、図１７及び図１８のように、インターリービングされたバンドル単位インデックスを物理リソースにマッピングする時、１個のバンドル単位内に含まれたＲＥＧのインデックスを周波数軸に連続してマッピングすることにより、バンドル単位を維持しながら周波数軸に等間隔に分散させることができる。
【０１１８】
実施例３：ＣＯＲＥＳＥＴの帯域幅がＲＥＧバンドル単位の倍数ではない場合
【０１１９】
ＣＯＲＥＳＥＴの帯域幅が設定される時、ＲＥＧバンドル単位を構成するＲＥＧの数の倍数ではないサイズの帯域幅に設定されることができる。この場合、ＲＥＧバンドル単位を満たせずに残った領域の場合、ＣＯＲＥＳＥＴが設定された物理ドメインの帯域幅領域の先端或いは後端に位置するように設定することができる。 
【０１２０】
この時、ＲＥＧバンドル単位インデックスに基づいてインターリービングを行う時、ＲＥＧバンドル単位を満たせずに残った領域も考慮して、さらにＲＥＧバンドル単位インデックスをインデクシングした後にインターリービングを行う。また、ＣＯＲＥＳＥＴが設定された帯域幅領域の先端又は後端に位置する物理リソースにマッピングされる論理ＲＥＧバンドル単位インデックスに対してレートマッチングを行うことができる。
【０１２１】
即ち、図１９のような状況では、論理ＲＥＧバンドル単位インデックス＃１に対応する制御情報に対してレートマッチングを行うことができる。
【０１２２】
一方、図２０に示したように、ＲＥＧバンドル単位を満たせずに残った領域をＣＯＲＥＳＥＴが設定された物理ドメイン帯域幅領域の先端又は後端に位置するように設定し、該当領域を除いて、ＲＥＧバンドル単位インデックスをインデクシングしてインターリービングを行うことができる。即ち、インターリービングを経て物理ドメインにマッピングする時にも、該当領域は使用されないことができる。
【０１２３】
もし、互いに異なる基地局又はセルの間にＣＯＲＥＳＥＴが同一に設定され、該当ＣＯＲＥＳＥＴがＲＥＧバンドル単位を構成するＲＥＧ数の倍数ではない帯域幅に設定された場合は、ＲＥＧバンドル単位を満たせずに残った領域を上述した方法のようにインターリービングして制御情報をマッピングする用途に使用せず、セル間の干渉を減少させる用途に使用することができる。例えば、図２０に示したように、セルＩＤなどのようにセル特定された情報を活用してｖｓｈｉｆｔ値を設定し、互いに異なる各々のセルのＣＯＲＥＳＥＴが設定される帯域幅を外れるように設定することができる。
【０１２４】
一方、残った領域がない場合は、即ち、ＣＯＲＥＳＥＴがＲＥＧバンドル単位を構成するＲＥＧ数の倍数である帯域幅に設定された場合には、セル間の干渉を減少させるためにＣＯＲＥＳＥＴを設定する帯域幅の位置及び／又はサイズをセルごとに異なるように設定することができる。
【０１２５】
ＣＣＥ間のバンドリングを適用する方法
【０１２６】
ＣＣＥ集成(ａｇｇｒｅｇａｔｉｏｎ)を行う場合、ＲＥＧを時間軸でバンドリングしながら、さらに周波数軸バンドリングを行うことができる。これにより、互いに異なるＣＣＥに含まれるＲＥＧバンドル単位の間で周波数軸バンドリングが行われることができる。
【０１２７】
同様に、ＣＣＥ集成を行う場合、ＲＥＧを周波数軸でバンドリングしながら、互いに異なるＣＣＥに含まれるＲＥＧバンドル単位の間で時間軸バンドリングを行うことができる。
【０１２８】
この場合、ＣＣＥ間のバンドリングを行うＣＣＥバンドル単位が設定されることができる。この時、ＣＣＥバンドリング単位のサイズ及び／又はＣＣＥバンドリングが時間軸に構成されるか又は周波数軸に構成されるかは、システムに予め定義されるか或いは基地局が端末に上位階層シグナリング及び／又は物理階層シグナリングを通じて指示することができ、ＣＯＲＥＳＥＴの設定(例えば、ＣＯＲＥＳＥＴ期間)によって設定されることもできる。またＣＣＥバンドリングが時間軸に構成されるか又は周波数軸に構成されるかは、ＲＥＧバンドリングの設定によって決定されることができる。即ち、ＲＥＧバンドリングが時間軸に構成される場合、ＣＣＥバンドリングは周波数軸に構成され、ＲＥＧバンドリングが周波数軸に構成される場合は、ＣＣＥバンドリングは時間軸に構成されることができる。
【０１２９】
図２１はＲＥＧを時間軸でＣＯＲＥＳＥＴ期間の長さほどＲＥＧバンドル単位を構成するように設定した状態で、周波数軸でＣＣＥバンドリング単位を２に構成した実施例である。
【０１３０】
実施例４：バンドルチャンク(Ｂｕｎｄｌｅ ｃｈｕｎｋ)間でランダム間隔にインターリービングする方法
【０１３１】
図２２及び図２３を参照して、バンドルチャンク単位でランダムにインターリービングする一例について説明する。バンドルチャンク単位でランダムにインターリービングする方式の原理は、実施例１−１及び実施例１−２のＲＥＧバンドル単位でインターリービングする原理と同様である。
【０１３２】
但し、図２２の場合、バンドリングが行われる互いに異なるＣＣＥに属するＲＥＧバンドル単位をグルーピングして新しいバンドリング単位を設定することができる。例えば、ＲＥＧバンドル単位とＣＣＥバンドル単位のサイズが各々２である場合、論理ＣＣＥインデックス０を構成する論理ＲＥＧのインデックスは０、１、２、３、４、５であり、論理ＣＣＥインデックス１を構成する論理ＲＥＧのインデックスは６、７、８、９、１０、１１で構成される。
【０１３３】
この場合、ＲＥＧバンドル単位のサイズが２であるので、ＣＣＥ０の場合、(０、１)、(２、３)、(４、５)のＲＥＧバンドル単位で構成され、ＣＣＥ１の場合、(６、７)、(８、９)、(１０、１１)のＲＥＧバンドル単位で構成することができる。この時、ＣＣＥバンドル単位のサイズが２であるので、各々のＣＣＥに属するＲＥＧバンドル単位を一対に構成して、{(０、１)、(６、７)}、{(２、３)、(８、９)}、{(４、５)、(１０、１１)}の各々が新しいバンドルチャンクを構成することができる。その後、バンドルチャンクの各々に新しいインデックスをインデクシングして、このインデックスに基づいてインターリーバを適用するとＣＣＥ、ＲＥＧの間の各々にバンドリングを適用するとバンドル単位で周波数軸にＣＣＥとＲＥＧを分散させることができる。
【０１３４】
例えば、ＲＥＧ間のバンドリングは時間軸、ＣＣＥ間のバンドリングは周波数軸で行う場合、インターリービングされたバンドルチャンクインデックスを物理リソースにマッピングする時、バンドルチャンク内のＲＥＧバンドルインデックスに属するＲＥＧインデックスは、該当領域で時間軸にマッピングし、ＲＥＧバンドルの間では周波数軸にマッピングすることができる。
【０１３５】
逆に、ＲＥＧ間のバンドリングは周波数軸、ＣＣＥ間のバンドリングは時間軸で行う場合には、バンドルチャンク内のＲＥＧバンドルインデックスに属するＲＥＧインデックスを該当領域において周波数軸にマッピングし、ＲＥＧバンドルの間では時間軸にマッピングすることができる。ここで、インターリービングする行列の列又は行のサイズ及び列又は行に基づく置換パターンは、システムに予め定義された形態であることができ、又は基地局が端末に上位階層シグナリング及び／又は物理階層シグナリングを通じて指示することができる。
【０１３６】
実施例５：バンドルチャンク(Ｂｕｎｄｌｅ ｃｈｕｎｋ)間で等間隔にインターリービングする方法
【０１３７】
バンドルチャンク間で等間隔にインターリービングする実施例について図２４及び図２５を参照しながら説明すると、インターリーバ行列の列又は行のサイズをＣＣＥバンドリング単位に対応するバンドルチャンク単位インデックスの数ほどに設定し、列又は行の置換を適用しないと、図２４及び図２５のように、バンドルチャンク間で等間隔にインターリービングを行うことができる。
【０１３８】
バンドルチャンク間で等間隔にインターリービングする場合、もしＣＣＥ集成サイズとＣＣＥバンドリングのサイズが異なると、ＣＣＥバンドリングのサイズ単位に基づいて物理リソース上にさらに分散されるようにインターリービングを行うことができる。
【０１３９】
例えば、論理ＣＣＥインデックスに対してＣＣＥバンドル単位でインデックスをインデクシングし、ＣＣＥバンドル単位でインターリービングを適用することができる。その後、ＣＣＥバンドル単位に基づいてインターリービングを行った後、ＣＣＥバンドル単位に属するＣＣＥの論理インデックスを並べると、インターリービングされた論理ＣＣＥインデックスを構成することができる。また、インターリービングされた論理ＣＣＥインデックスを実施例１及び２で説明した論理ＣＣＥインデックスに対応させると、図２６及び図２７の実施例のような結果が得られる。
【０１４０】
この時、ＣＣＥバンドル単位インデックスをインターリービングする行列は、列又は行の数が、ＣＣＥ集成レベルに対応するＣＣＥバンドル単位インデックスの数で設定されることができる。また、インターリービングを適用した論理ＣＣＥインデックスに対応するＲＥＧインデックスを並べてインターリービングされた論理ＲＥＧインデックスを構成し、ここに順にＲＥＧバンドル単位インデックスをインデクシングすることができる。 
【０１４１】
ここで、ＣＣＥ間のバンドリングのために、実施例４のように、バンドリングが行われる互いに異なるＣＣＥに属するＲＥＧバンドル単位をグルーピングしてバンドルチャンク単位インデックスをインデクシングし、バンドルチャンク単位インデックスに対してインターリービングを行うことができる。ここで、バンドルチャンク単位インデックスをインターリービングする行列は、行又は列の数が、ＣＣＥバンドル単位のサイズに対応するバンドルチャンク単位インデックスの数で設定されることができる。また、インターリービングされたバンドルチャンクインデックスを物理リソースにマッピングする時、もしＲＥＧ間のバンドリングを時間軸、ＣＣＥ間のバンドリングを周波数軸で行う場合、バンドルチャンク内の各々のＲＥＧバンドルインデックスに属するＲＥＧインデックスは該当領域において時間軸にマッピングし、ＲＥＧバンドルの間では周波数軸にマッピングすることができる。
【０１４２】
逆に、ＲＥＧ間のバンドリングは周波数軸、ＣＣＥ間のバンドリングは時間軸で行う場合には、バンドルチャンク内のＲＥＧバンドルインデックスに属するＲＥＧインデックスを該当領域において周波数軸にマッピングし、ＲＥＧバンドルの間では時間軸にマッピングすることができる。このように構成すると、ＣＣＥ集成レベルを構成するＣＣＥをインターリービングする時、ＣＣＥバンドル単位で周波数軸に等間隔にできる限り離れるようにして分散させることができ、これによりバンドルを通じたチャネル推定性能及び周波数上においてＣＣＥバンドル単位で離隔する構成を通じた周波数ダイバーシティ効果を最大にすることができる。
【０１４３】
ＣＯＲＥＳＥＴの構成方法
【０１４４】
以下、上述したインターリーバの設計とは別個に、ＣＯＲＥＳＥＴを構成するＲＢを設定する方法について説明する。ＣＯＲＥＳＥＴを構成するＲＢは周波数領域において連続して又は離隔して構成されることができ、これはレガシーＬＴＥシステムに定義されている組み合わせインデックス(ｃｏｍｂｉｎａｔｏｒｉａｌ ｉｎｄｅｘ)を上位階層シグナリングを通じて設定できる。
【０１４５】
例えば、式１のような組み合わせインデックスを使用できる。ここで、
2019522425.tif 000012
、
2019522425.tif 000013
はＰＲＢインデックスを指し、
2019522425.tif 000014
はＣＯＲＥＳＥＴ  ｐのＲＢの数、
2019522425.tif 000015
はシステムの下りリンク帯域幅を指す。
【０１４６】
［式１］
2019522425.tif 000016
【０１４７】
もしバンドリングのサイズを考慮して組み合わせインデックスを構成すると、式１における
2019522425.tif 000017
と
2019522425.tif 000018
は各々
2019522425.tif 000019
／(バンドリングのサイズ)、
2019522425.tif 000020
／(バンドリングのサイズ)に代替できる。上述した方法を用いて導き出された組み合わせインデックスは、バンドル単位で連続して又は離隔して構成されたＣＯＲＥＳＥＴのＲＢ配置に対応する。例えば、下りリンクの帯域幅が５０ＲＢで構成される環境において、ＣＯＲＥＳＥＴのサイズが８であり、バンドリングのサイズ２である場合、
2019522425.tif 000021
／(バンドリングのサイズ)＝４、
2019522425.tif 000022
／(バンドリングのサイズ)＝２５に設定されて上記式１の
2019522425.tif 000023
と
2019522425.tif 000024
に代入でき、これにより導き出された組み合わせインデックスはバンドル単位である２ＲＢ単位で下りリンク帯域幅に連続して又は離隔して配置されたＣＯＲＥＳＥＴのＲＢ配置に対応することができる。
【０１４８】
なお、ｉｎｔｒａ−ＣＣＥ或いはｉｎｔｅｒ−ＣＣＥ間のＲＥＧバンドリングは以下のように行われる。
【０１４９】
図２８を参照しながら、ｉｎｔｅｒ−ＣＣＥ間にＲＥＧバンドリングが構成される場合について説明する。各々のＲＥＧバンドリング設定は各々のＣＯＲＥＳＥＴごとに行われることができる。もし、１個の候補ＰＤＣＣＨが多数のＣＯＲＥＳＥＴにかけたＣＣＥで構成される場合、ｉｎｔｅｒ−ＣＣＥのバンドルの集合が変更されることができる。例えば、ｉｎｔｅｒ−ＣＣＥが２ＣＣＥにかけて構成された場合、もしＡＬ＝４に対して候補ＰＤＣＣＨの第１のＣＣＥと第３のＣＣＥがＣＯＲＥＳＥＴ１に含まれ、第２のＣＣＥと第４のＣＣＥがＣＯＲＥＳＥＴ２に含まれると、ＣＯＲＥＳＥＴ１に対するｉｎｔｅｒ−ＣＣＥバンドリングは１、３を通じて、ＣＯＲＥＳＥＴ２に対するｉｎｔｅｒ−ＣＣＥバンドリングは２、４を通じて行われると仮定するか、或いは該当ＣＣＥインデクシングは各々のＣＯＲＥＳＥＴごとに進行するが、多数のＣＯＲＥＳＥＴにかけたＣＣＥで候補ＰＤＣＣＨを構成する時は、重畳(ｏｖｅｒｌａｉｄ)されたＣＣＥのインデクシングを再び行うことができ、バンドリングは各々のＣＯＲＥＳＥＴごとに行われることができる。
【０１５０】
ｉｎｔｒａ−ＣＣＥ ＲＥＧバンドリングの場合、もし１個のＣＣＥが多数のＣＯＲＥＳＥＴにかけたＲＥＧで構成されると、ｉｎｔｒａ−ＣＣＥ ＲＥＧバンドリングは以下の方式を適用することができる。
【０１５１】
もし、ＲＥＧバンドリングのサイズが６である場合、１個のＣＣＥが多数のＣＯＲＥＳＥＴにマッピングされないと仮定することができる。
【０１５２】
なお、ＲＥＧバンドリングのサイズは６／ｋであることができる。ｋは１個のＣＣＥがマッピングされるＣＯＲＥＳＥＴの数である。各々のバンドルされたＲＥＧのうち、同じインデックスを有するＲＥＧをグルーピングして１個のＣＣＥを構成することができる。もし時間ドメインＲＥＧバンドリングのサイズが使用される場合、６／ｋを満たさないこともできるので、該当方式を使用する場合には、時間ドメインＲＥＧバンドリングが仮定されないこともできる。
【０１５３】
図２９を参照すると、通信装置２９００はプロセッサ２９１０、メモリ２９２０、ＲＦモジュール２９３０、ディスプレイモジュール２９４０及び使用者インターフェースモジュール２９５０を含む。
【０１５４】
通信装置２９００は説明の便宜のために示したものであり、一部モジュールは省略可能である。なお、通信装置２９００は必要なモジュールをさらに含むこともできる。通信装置２９００において一部モジュールはより細分化されたモジュールに区分することができる。プロセッサ２９１０は図面を参照して例示した本発明の実施例による動作を行うように構成される。具体的には、プロセッサ２９１０の詳しい動作は図１乃至図２８に示された内容を参照できる。 
【０１５５】
メモリ２９２０はプロセッサ２９１０に連結され、オペレーティングシステム、アプリケーション、プログラムコード、データなどを貯蔵する。ＲＦモジュール２９３０はプロセッサ２９１０に連結され、基底帯域信号を無線信号に変換するか或いは無線信号を基底帯域信号に変換する機能を果たす。このために、ＲＦモジュール２９３０はアナログ変換、増幅、フィルタリング及び周波数上り変換又はこれらの逆過程を行う。ディスプレイモジュール２９４０はプロセッサ２９１０に連結され、様々な情報をディスプレイする。ディスプレイモジュール２９４０はＬＣＤ(Ｌｉｑｕｉｄ Ｃｒｙｓｔａｌ Ｄｉｓｐｌａｙ)、ＬＥＤ(Ｌｉｇｈｔ Ｅｍｉｔｔｉｎｇ Ｄｉｏｄｅ)、ＯＬＥＤ(Ｏｒｇａｎｉｃ Ｌｉｇｈｔ Ｅｍｉｔｔｉｎｇ Ｄｉｏｄｅ)のような既知の要素を使用できるが、これらに限られない。使用者インターフェースモジュール２９５０はプロセッサ２９１０に連結され、キーパッド、タッチスクリーンなどのような既知の使用者インターフェースの組み合わせで構成されることができる。
【０１５６】
以上に説明した実施例は本発明の構成要素及び特徴が所定形態に結合されたものである。それぞれの構成要素又は特徴は別に明示的に言及しない限り、選択的なものに考慮しなければならない。それぞれの構成要素又は特徴は他の構成要素や特徴と組み合わせられない形態に実施することができる。また、一部の構成要素及び／又は特徴を組み合わせて本発明の実施例を構成することも可能である。本発明の実施例で説明する動作の順序は変更可能である。ある実施例の一部の構成や特徴は他の実施例に含まれることができ、あるいは他の実施例の対応する構成又は特徴に取り替えられることができる。請求範囲で明示的な引用関係がない請求項を組み合わせて実施例を構成するか出願後の補正によって新たな請求項として含ませることができるのはいうまでもない。
【０１５７】
この明細書にて説明した基地局により行われる特定の動作は、場合によってはその上位ノード(ｕｐｐｅｒ ｎｏｄｅ)により行われることができる。即ち、基地局を含む複数のネットワークノード(ｎｅｔｗｏｒｋ ｎｏｄｅｓ)からなるネットワークにおいて端末との通信のために行われる様々な動作は、基地局又は基地局以外の他のネットワークノードにより行われることができる。基地局は固定局(ｆｉｘｅｄ ｓｔａｔｉｏｎ)、ＮｏｄｅＢ、ｅＮｏｄｅＢ(ｅＮＢ)、アクセスポイント(ａｃｃｅｓｓ ｐｏｉｎｔ)などの用語に代替できる。
【０１５８】
本発明に係る実施例は多様な手段、例えば、ハードウェア、ファームウェア、ソフトウェア又はこれらの結合などによって具現できる。ハードウェアによる具現の場合、本発明の一実施例は、１つ又はそれ以上のＡＳＩＣｓ(ａｐｐｌｉｃａｔｉｏｎ ｓｐｅｃｉｆｉｃ ｉｎｔｅｇｒａｔｅｄ ｃｉｒｃｕｉｔｓ)、ＤＳＰｓ(ｄｉｇｉｔａｌ ｓｉｇｎａｌ ｐｒｏｃｅｓｓｏｒｓ)、ＤＳＰＤｓ(ｄｉｇｉｔａｌ ｓｉｇｎａｌ ｐｒｏｃｅｓｓｉｎｇ ｄｅｖｉｃｅｓ)、ＰＬＤｓ(ｐｒｏｇｒａｍｍａｂｌｅ ｌｏｇｉｃ ｄｅｖｉｃｅｓ)、ＦＰＧＡｓ(ｆｉｅｌｄ ｐｒｏｇｒａｍｍａｂｌｅ ｇａｔｅ ａｒｒａｙｓ)、プロセッサ、コントローラ、マイクロコントローラ、マイクロプロセッサなどによって具現される。
【０１５９】
ファームウェアやソフトウェアによる具現の場合、本発明の一実施例は、以上で説明した機能又は動作を行うモジュール、手順、関数などの形態で具現することができる。ソフトウェアコードはメモリユニットに格納してプロセッサによって駆動することができる。メモリユニットはプロセッサの内部又は外部に位置し、既に公知された多様な手段によってプロセッサとデータをやり取りすることができる。
【０１６０】
本発明は本発明の特徴を逸脱しない範囲内で他の特定の形態に具体化されることができるのは当業者に明らかである。したがって、前記詳細な説明はすべての面で制限的に解釈されてはいけなく、例示的なものに考慮されなければならない。本発明の範囲は添付の請求範囲の合理的解釈によって決定されなければならなく、本発明の等価的範囲内でのすべての変更は本発明の範囲に含まれる。
【産業上の利用可能性】
【０１６１】
以上、下りリンク制御チャネルを伝送する方法及びそのための装置について、次世代ＮｅｗＲＡＴシステムにおいて適用される例を中心として説明したが、５世代ＮｅｗＲＡＴシステム以外にも様々な無線通信システムに適用することができる。
【図１】
2019522425.tif 000025
【図２】
2019522425.tif 000026
【図３】
2019522425.tif 000027
【図４】
2019522425.tif 000028
【図５】
2019522425.tif 000029
【図６】
2019522425.tif 000030
【図７（ａ）】
2019522425.tif 000031
【図７（ｂ）】
2019522425.tif 000032
【図８】
2019522425.tif 000033
【図９】
2019522425.tif 000034
【図１０】
2019522425.tif 000035
【図１１】
2019522425.tif 000036
【図１２】
2019522425.tif 000037
【図１３】
2019522425.tif 000038
【図１４】
2019522425.tif 000039
【図１５】
2019522425.tif 000040
【図１６】
2019522425.tif 000041
【図１７】
2019522425.tif 000042
【図１８】
2019522425.tif 000043
【図１９】
2019522425.tif 000044
【図２０】
2019522425.tif 000045
【図２１】
2019522425.tif 000046
【図２２】
2019522425.tif 000047
【図２３】
2019522425.tif 000048
【図２４】
2019522425.tif 000049
【図２５】
2019522425.tif 000050
【図２６】
2019522425.tif 000051
【図２７】
2019522425.tif 000052
【図２８】
2019522425.tif 000053
【図２９】
2019522425.tif 000054
【手続補正書】
【提出日】平成30年12月28日(2018.12.28)
【手続補正１】
【補正対象書類名】特許請求の範囲
【補正対象項目名】全文
【補正方法】変更
【補正の内容】
【特許請求の範囲】
【請求項１】
無線通信システムにおいて、端末が下りリンク制御チャネルを受信する方法であって、
リソース要素グループ(Ｒｅｓｏｕｒｃｅ Ｅｌｅｍｅｎｔ Ｇｒｏｕｐ、ＲＥＧ)バンドルのサイズに関連する第１情報、及び複数のＲＥＧバンドルをインターリービングするためのインターリーバのサイズに関連する第２情報を、基地局から受信する段階と、
前記ＲＥＧバンドルのサイズに関する第１情報と、前記インターリーバのサイズに関連する第２情報に基づいて、前記ＲＥＧバンドルのサイズにしたがって１以上のＲＥＧバンドルにバンドルされる複数のＲＥＧを含む、ＣＯＲＥＳＥＴ(Ｃｏｎｔｒｏｌ Ｒｅｓｏｕｒｃｅ Ｓｅｔ)に対する前記下りリンク制御チャネルを受信する段階とを含み、
前記１以上のＲＥＧバンドルは前記インターリーバのサイズにしたがって前記ＣＯＲＥＳＥＴ内でインターリービングされ、
前記ＣＯＲＥＳＥＴ期間は、１、２又は３個のＯＦＤＭシンボルと設定され、
前記ＲＥＧバンドルのサイズは、前記ＣＯＲＥＳＥＴ期間に関連する、下りリンク制御チャネル受信方法。
【請求項２】
前記インターリーバのサイズに関連する第２情報は、インターリービングする行列の次元（ｄｉｍｅｎｓｉｏｎ）に関連する、請求項１に記載の下りリンク制御チャネル受信方法。  
【請求項３】
前記インターリービングする行列の次元は、前記インターリービングする行列の行の数又は列の数である、請求項２に記載の下りリンク制御チャネル受信方法。
【請求項４】
前記インターリービングする行列の次元は、前記インターリービングする行列の列の数であり、
前記インターリービングする行列の行の数は、前記インターリービングする行列の列の数と、前記ＣＯＲＥＳＥＴに含まれるＲＥＧバンドルの数に基づいて決定される、
請求項３に記載の下りリンク制御チャネル受信方法。
【請求項５】
定数ではない前記インターリービングする行列の行の数に基づいて、前記インターリービングする行列の行の数より大きい定数の中の最大値を有する定数が前記インターリービングする行列の行の数として決定される、請求項４に記載の下りリンク制御チャネル受信方法。
【請求項６】
前記複数のＲＥＧは少なくとも一つの制御チャネル要素（ＣＣＥ）を設定し、
前記インターリーバのサイズに関連した第２情報の値と、前記ＲＥＧバンドルのサイズに関連する第１情報の値の積に対応した前記少なくとも一つのＣＣＥのそれぞれに含まれたＲＥＧの数に基づいて、前記一つ以上のＲＥＧバンドルは、レギュラー区間で物理リソースにマップされる、請求項１に記載の下りリンク制御チャネル受信方法。
【請求項７】
前記複数のＲＥＧは、少なくとも一つの制御チャネル要素（ＣＣＥ）を設定し、
前記少なくとも一つのＣＣＥのそれぞれに含まれたＲＥＧバンドルの数に等しい前記インターリーバのサイズに関連した前記第２情報の値に基づいて、前記一つ以上のＲＥＧバンドルはレギュラー区間で物理リソースにマップされる、請求項１に記載の下りリンク制御チャネル受信方法。
【請求項８】
前記受信した、前記ＲＥＧバンドルのサイズに関連した第１情報は、前記ＣＯＲＥＳＥＴのシンボルの数に関連する、請求項１に記載の下りリンク制御チャネル受信方法。
【請求項９】
無線通信システムにおいて、下りリンク制御チャネルを受信する端末であって、
ＲＦモジュールと、
少なくとも一つのプロセッサと、
前記少なくとも一つのプロセッサと動作的に接続可能で、実行された時、前記少なく一つのプロセッサが、
基地局から前記ＲＦモジュールを介して、リソース要素グループ（ＲＥＧ）に関連した第１情報と、ＲＥＧバンドルをインターリービングするためのインターリーバのサイズに関連した第２情報を受信し、
前記ＲＥＧバンドルのサイズに関連した第１情報と前記インターリーバのサイズに関連した第２情報に基づき、前記ＦＲモジュールを介して、前記ＲＥＧバンドルのサイズにしたがって一つ以上のＲＥＧバンドルにバンドルされる複数のＲＥＧを含むＣＯＲＥＳＥＴ(Ｃｏｎｔｒｏｌ Ｒｅｓｏｕｒｃｅ Ｓｅｔ)に対する前記下りリンク制御チャネルを受信し、前記一つ以上のＲＥＧバンドルは前記インターリーバのサイズにしたがって前記ＣＯＲＥＳＥＴ内でインターリービングされ、
前記ＣＯＲＥＳＥＴ期間は１、２又は３個のＯＦＤＭシンボルに設定され、
前記ＲＥＧバンドルのサイズは前記ＣＯＲＥＳＥＴ期間に関連することを含む動作を実行させる指示を格納する、すくなくとも一つのコンピュータメモリを備えた、端末。
【請求項１０】
前記インターリーバのサイズに関連する第２情報は、インターリービングする行列の次元（ｄｉｍｅｎｓｉｏｎ）に関連し、
前記インターリービングする行列の次元は、前記インターリービングする行列の行の数又は列の数である、請求項９に記載の端末。
【請求項１１】
前記インターリービングする行列の次元は、前記インターリービングする行列の列の数であり、
前記インターリービングする行列の行の数は、前記インターリービングする行列の列の数と、前記ＣＯＲＥＳＥＴに含まれるＲＥＧバンドルの数に基づいて決定される、請求項１０に記載の端末。
【請求項１２】
定数ではない前記インターリービングする行列の行の数に基づいて、前記インターリービングする行列の行の数より大きい定数の中の最大値を有する定数が前記インターリービングする行列の行の数として決定される、請求項１１に記載の端末。
【請求項１３】
前記複数のＲＥＧは少なくとも一つの制御チャネル要素（ＣＣＥ）を設定し、
前記インターリーバのサイズに関連した第２情報の値と、前記ＲＥＧバンドルのサイズに関連する第１情報の値の積に対応した前記少なくとも一つのＣＣＥのそれぞれに含まれたＲＥＧの数に基づいて、前記一つ以上のＲＥＧバンドルは、レギュラー区間で物理リソースにマップされる、請求項９に記載の端末。
【請求項１４】
前記複数のＲＥＧは、少なくとも一つの制御チャネル要素（ＣＣＥ）を設定し、
前記少なくとも一つのＣＣＥのそれぞれに含まれたＲＥＧバンドルの数に等しい前記インターリーバのサイズに関連した前記第２情報の値に基づいて、前記一つ以上のＲＥＧバンドルはレギュラー区間で物理リソースにマップされる、請求項９に記載の端末。
【請求項１５】
前記受信した、前記ＲＥＧバンドルのサイズに関連した第１情報は、前記ＣＯＲＥＳＥＴのシンボルの数に関連する、請求項９に記載の端末。
【請求項１６】
前記インターリービングする行列の次元は、前記インターリービングする行列の行の数であり、
前記インターリービングする行列の列の数は、前記インターリービングする行列の行の数と、前記ＣＯＲＥＳＥＴに含まれるＲＥＧバンドルの数に基づいて決定される、請求項３に記載の下りリンク制御チャネル受信方法。
【請求項１７】
定数でない前記インターリービングする行列の列の数に基づいて、前記インターリービングする行列の列の数より大きな定数の中の最大値を有する定数は前記インターリービングする行列の列の数として決定される、請求項１６に記載の下りリンク制御チャネル受信方法。
【請求項１８】
前記複数のＲＥＧは少なくとも一つのＣＣＥを設定し、
６個のＲＥＧは前記少なくとも一つのＣＣＥのそれぞれを設定する、請求項１に記載の下りリンク制御チャネル受信方法。
【請求項１９】
前記インターリービングする行列の次元は、前記インターリービングする行列の行の数であり、
前記インターリービングする行列の列の数は、前記インターリービングする行列の行の数と、前記ＣＯＲＥＳＥＴに含まれるＲＥＧバンドルの数に基づいて決定される、請求項１０に記載の端末。
【請求項２０】
前記複数のＲＥＧは少なくとも一つのＣＣＥを設定し、
６個のＲＥＧは前記少なくとも一つのＣＣＥのそれぞれを設定する、請求項９に記載の端末。
【国際調査報告】
2019522425.tif 000055
2019522425.tif 000056
2019522425.tif 000057
2019522425.tif 000058